(57)【特許請求の範囲】
【請求項１】
容器本体と、容器本体の口筒部に装着されるキャップとを備え、容器本体を側面から把持し、傾けて内容物を放出する容器において、
容器本体は、口筒部と、口筒部の下端に連設される肩部と、肩部の下端に連設される胴部と、底部とを備え、
胴部は、側面から把持する部分の横断面が上下の外方に緩やかに膨らむ弧状の長辺部および左右の短辺部からなる略長方形に形成され、
該長方形は、長辺部の中央部よりも把持する側寄りの位置に最も外方に膨らむ最膨張部が形成され、
該長辺部の最膨張部は、把持する側の端部から女性の中でも手の小さな人の第一指有効把持長および第二指有効把持長のいずれか長い方の長さ以上で、４０ｍｍ未満離れた位置に形成されることを特徴とする容器。
【請求項２】
把持する側の短辺部は、円形状、楕円形状、または平坦状のいずれかに形成されることを特徴とする請求項１記載の容器。
【発明の詳細な説明】
【技術分野】
【０００１】
本発明は、手で側面から胴部を把持し、傾けて内容物を放出する容器に関し、とくに、男性に比べて手の小さい女性でも安定して把持することができる容器に関するものである。
【背景技術】
【０００２】
手で側面から胴部を把持し、傾けて内容物を放出する容器において、容器の胴部を断面が略四角形の筒状、特に、各辺が外方に緩やかに突出する弧状に形成された合成樹脂製の容器は従来から知られている（例えば、特許文献１参照）。
【先行技術文献】
【特許文献】
【０００３】
【特許文献１】特開２００８−１００７２９号公報
【発明の概要】
【発明が解決しようとする課題】
【０００４】
しかしながら、特許文献１記載の胴部を略四角形の筒状に形成した合成樹脂製の容器では、図５に示すように、把持される胴部の辺部２０の長さが大きいと、男性に比べて手の小さい女性などが容器の胴部を側面から把持する際に、第一指ｆ１（親指）および第二指ｆ２（人差し指）の指先の腹が当接する場所が、辺部２０が外方に一番膨らむ部分（最膨張部）２０ａを越えることができない場合があり、この場合には、指の掛かりが悪く、また、第一指の把持ベクトルＦ１および第二指の把持ベクトルＦ２が手Ｈの掌側と反対方向に向いてしまい、手Ｈから離れる方向にその合成ベクトルＦ３が働き、容器を持ちにくいという問題があった。
【０００５】
さらに、内容物が液状であると、内容物が容器の胴部に垂れていた場合、指が滑り、容器を落下してしまうということもあった。
【０００６】
本発明は、上記の問題を解決することを課題とし、胴部の把持する部分の横断面が略長方形の容器において、男性に比べて手の小さい女性でも確実かつ安定して把持することができる容器を提供することを目的とする。
なお、胴部の把持する部分の横断面が円形や楕円形の容器は、本発明に含まれず、長方形でも把持する２辺がともに平坦な容器も本発明には含まれない。
【課題を解決するための手段】
【０００７】
本発明は、上記の課題を解決するため、容器として、容器本体と、容器本体の口筒部に装着されるキャップとを備え、容器本体を側面から把持し、傾けて内容物を放出する容器において、容器本体は、口筒部と、口筒部の下端に連設される肩部と、肩部の下端に連設される胴部と、底部とを備え、胴部は、側面から把持する部分の横断面が上下の外方に緩やかに膨らむ弧状の長辺部および左右の短辺部からなる略長方形に形成され、該長方形は、長辺部の中央部よりも把持する側寄りの位置に最も外方に膨らむ最膨張部が形成され、該長辺部の最膨張部は、把持する側の端部から女性の中でも手の小さな人の第一指有効把持長および第二指有効把持長のいずれか長い方の長さ以上で、４０ｍｍ未満離れた位置に形成されることを特徴とする構成を採用する。
【０００８】
短辺部の実施形態として、把持する側の短辺部は、円形状、楕円形状、または平坦状のいずれかに形成されることを特徴とする構成を採用する。
【発明の効果】
【０００９】
本発明は、容器本体の胴部を側面から把持する部分の横断面が上下の外方に緩やかに膨らむ弧状の長辺部および左右の短辺部からなる略長方形に形成された容器において、該長方形は、長辺部の中央部よりも把持する側寄りの位置に最も外方に膨らむ最膨張部が形成され、該長辺部の最膨張部は、把持する側の端部から女性の中でも手の小さな人の第一指有効把持長および第二指有効把持長のいずれか長い方の長さ以上で、４０ｍｍ未満離れた位置に形成されることで、女性など手の小さい人が把持した場合でも、第一指および第二指のいずれか長い方の指先の腹が最膨張部を乗り越えて当接するので、手の小さい人でも容器を確実に把持することができ、容器を持ちやすくすることができる。
また、手の大きい人でも、確実に把持できる。
【図面の簡単な説明】
【００１０】
【図１】本発明の第１実施例の容器の説明図で、（ａ）は上面図、（ｂ）は側面図である。
【図２】手指の寸法に関する説明図である。
【図３】本発明の第１実施例の容器本体の胴部の説明図であり、（ａ）は胴部の横断面図であり、（ｂ）は手で把持した状態を示す図である。
【図４】本発明の第１実施例の容器本体の胴部を手で把持した別の状態を示す図である。
【図５】従来の容器の胴部の説明図である。
【発明を実施するための最良の形態】
【００１１】
次に、本発明の容器について、実施例をあげ、図面を参照して説明する。
【００１２】
まず、女性の手の実測寸法データ（日本人の手の寸法データ集２０１０  ［発行］社団法人  人間生活工学研究センター  参照）を示す。
図２に示すように、〈１〉は手Ｈの起点から先端までの長さ（手長）、〈２〉は第一指ｆ１の起点から指先までの長さ（第一指長）、〈３〉は第二指ｆ２の近位関節から遠位関節までの長さ（第二指近位−遠位関節長）、〈４〉は第一指ｆ１の関節から指先までの長さ（第一指関節−指先長）、〈５〉は第二指ｆ２の遠位関節から指先までの長さ（第二指遠位関節−指先長）を表し、その平均値を表１で示す。
【表１】
0006833261.tif 000002
【００１３】
図２に示す長さαは、手で容器を把持した際に容器に当接し易い、第二指ｆ２の近位関節から遠位関節の長さと、遠位関節から指先までの半分の長さ（手で容器を把持した際、指先付近はほとんど容器に当接せず、当接する指先の腹がある約半分の位置の長さとする。）との合計の長さ（以下、「第二指有効把持長」という）であり、長さβは、第一指ｆ１の起点から指先までの長さから、関節から指先までの半分の長さを引いた長さ（以下、「第一指有効把持長」という）である。
本発明は、手の小さな女性でも把持し易い容器であるから、表１から、まず、女性の中でも手の小さな〈１〉手長の〔小〕のグループを抜き出すと、
第二指有効把持長αは、〈３〉１７．６６＋〈５〉２３．９７／２＝２９．６４５（ｍｍ）
第一指有効把持長βは、〈２〉５４．１０−〈４〉３０．３４／２＝３８．９３（ｍｍ）
となり、さらに、女性の中でも手が普通の大きさの〈１〉手長の〔中〕のグループを抜き出すと、
第二指有効把持長αは、〈３〉１９．３９＋〈５〉２５．６６／２＝３２．２２（ｍｍ）
第一指有効把持長βは、〈２〉５６．０８−〈４〉３１．７９／２＝４０．１８５（ｍｍ）
となる。
【実施例１】
【００１４】
図１において、Ａは容器本体、Ｂは容器本体Ａの口筒部１に装着されるキャップである。
【００１５】
図１に示すように、容器本体Ａは、円筒状の口筒部１と、口筒部１の下端に連設され、上面から見て略長方形に形成される肩部２および肩部２の下端に連設される筒状の胴部３と、底部４を備えている。
【００１６】
本実施例では、図３（ａ）に示すように、胴部３は、側面から把持する部分の横断面を略角形状のうち、上下の外方に緩やかに膨らむ弧状の長辺部６と、左右の短辺部７と、長辺部６と短辺部７の隣り合う端部６ｃおよび７ｃを湾曲して繋ぐ４カ所の角部８とを具える略長方形としている。
端部６ｃは、長辺部６の緩やかな弧状が角部８で接線方向の角度が急激に変化する変曲点であり、同様に、端部７ｃは、短辺部７の緩やかな弧状が角部８で接線方向の角度が急激に変化する変曲点である。
【００１７】
長辺部６は、右側の端部６ｃから左側の端部６ｃまで長さｂの寸法で形成され、さらに、長辺部６は、前記右側の端部６ｃから中央側寄りの長さａの位置が最も外方へ膨らむ最膨張部６ａとなるように緩やかな弧状に形成されている。
本実施例では、長さａは、上下の長辺部６とも右側の端部６ｃからの長さとしているが、右側の短辺部７の端部７ｃからの長さとすることもできるし、上側の長辺部６と下側の長辺部６で、長さａを異なる長さとすることもできる。
また、本実施例では、最膨張部６ａは、長辺部６の中央部より右寄りに位置するように形成されている。
【００１８】
長さａは、第二指有効把持長αまたは第一指有効把持長βによって設定され、それに伴い胴部の横断面の一辺の長さおよび胴部の側周の大きさも決まってくる。
図３（ｂ）では、長さａは、女性の中でも手の小さな人の第二指有効把持長α＝２９．６４５（ｍｍ）に合わせて３０ｍｍ未満に設定されている。これに合わせて本実施例では、長さｂは、長さａの２倍以上であるから、６０ｍｍ以上となり、好ましくは２００ｍｍ以下に形成されているが、最膨張部を形成する位置によっては６０ｍｍ未満であってもかまわない。
なお、短辺部７の長さは、特に規定はされないが、第一指ｆ１の指先の腹が長辺部６の最膨張部６ａを越えて確実に把持できる程度の範囲でかまわない。
【００１９】
次に、本実施例の作用効果について説明する。
本実施例では、図３（ｂ）に示すように、容器本体Ａの胴部３の把持する部分の横断面を右側の短辺部７側から手Ｈで把持する。
すると、手Ｈは、長辺部６の右側の端部６ｃから長さａ離れた上下の長辺部６の最膨張部６ａより左側の位置に、第一指ｆ１および第二指ｆ２の指先の腹が当接する。
【００２０】
手の小さな女性であっても、手Ｈの第一指ｆ１および第二指ｆ２のいずれの指先の腹も胴部３の上下の長辺部６の最膨張部６ａより左側の位置に当接することにより、把持する際に指先が最膨張部６ａに引っ掛かるとともに、第一指ｆ１および第二指ｆ２の把持ベクトルＦ１およびＦ２が手Ｈの掌側に傾き、その合成ベクトルＦ３は掌側に向けられ、容器本体Ａが持ちやすくなり、安定して容器を左側に傾け内容物を放出することができる。
【００２１】
しかしながら、図３（ｂ）に示す実施例では、胴部３の長辺部６は、最膨張部６ａを形成する右側の端部６ｃから中央側寄りの長さａを第二指有効把持長αに合わせて３０ｍｍ未満としているが、前記長さａを３０ｍｍよりも長く設定することができる。
このために、第二指有効把持長αよりも長い第一指有効把持長β（３８．９３ｍｍ）に着目して前記長さａを設定する場合について説明する。
【００２２】
図４に示す実施例では、長さａは、女性の中でも手の小さな人の第一指有効把持長β＝３８．９３（ｍｍ）に合わせて４０ｍｍ未満に設定されている。これに合わせて本実施例では、長さｂは、長さａの２倍以上であるから、８０ｍｍ以上となり、好ましくは２００ｍｍ以下に形成されているが、最膨張部を形成する位置によっては８０ｍｍ未満であってもかまわない。
なお、短辺部７の長さは、特に規定はされないが、第二指有効把持長αが長辺部６を確実に把持できる程度の範囲でかまわない。
【００２３】
次に、本実施例の作用効果について説明する。
本実施例の容器は、図４に示すように、容器本体Ａの胴部３の把持する部分の横断面を右側の短辺部７側から手Ｈで把持する。
すると、第一指ｆ１は、下の長辺部６の右側の端部６ｃから長さａ離れた長辺部６の最膨張部６ａを越えた左側の位置に、指先の腹が当接し、一方、第二指ｆ２は、上の長辺部６の右側の端部６ｃから最膨張部６ａの右側（手前）の第二指有効把持長αの位置に、指先の腹が当接する。
【００２４】
本実施例の場合、手Ｈの第一指ｆ１の指先の腹が胴部３の下の長辺部６の最膨張部６ａの左側の位置に当接することにより、把持する際に第一指ｆ１の指先の腹が最膨張部６ａに引っ掛かるとともに、図４に示すように、第一指ｆ１の把持ベクトルＦ１は、手Ｈの掌側に傾くが、第二指ｆ２の指先の腹が胴部３の上の長辺部６の最膨張部６ａの右側に当接することにより、第二指ｆ２の把持ベクトルＦ２は、掌と反対側に傾くことになる。
この結果、第一指ｆ１の把持ベクトルＦ１と第二指ｆ２の把持ベクトルＦ２との合成ベクトルＦ３は、掌と反対側に向けられることはないものの、図３（ｂ）に示す例と比べて、容器を把持した際の安定性に若干欠けることとなる。
【００２５】
本実施例では、女性の中でも手が小さい人（αが２９．６４５ｍｍ）を対象としているが、第二指ｆ２の把持ベクトルＦ２は、第二指有効把持長αが長いほど、掌と反対側に傾く度合いが小さくなるので、女性の中でも手が普通の大きさの人の方が第二指有効把持長αが３２．２２ｍｍあり、有利である。
長さａは、４０ｍｍ未満に設定された場合、第二指有効把持長αが３２．２２ｍｍ以上あると、第一指ｆ１の把持ベクトルＦ１と第二指ｆ２の把持ベクトルＦ２との合成ベクトルＦ３は、図３（ｂ）の場合に比べれば小さくなるものの、掌側に向けられ、容器本体Ａが持ちやすくなり、安定して容器を左側に傾け内容物を放出することができる。
【００２６】
また、指先の腹が当接する長辺部６が最膨張部６ａを持つ緩やかな弧状に形成され、手で把持した際に指先の腹が最膨張部６ａに引っ掛かるので、胴部の辺部が平坦なものに比べ、指の掛かりがよく、容器本体Ａの胴部３を持ちやすくなる。
【００２７】
以上説明したように、手が小さな女性はもちろんのこと、手が小さくない女性および男性でも、胴部３の把持する部分の横断面を右側の短辺部７側から手Ｈで把持する場合に、上下の長辺部６の最膨張部６ａより左側の位置に、手Ｈの第一指ｆ１および第二指ｆ２のいずれかの指先の腹が当接することにより、手Ｈで容器本体Ａを持ちやすくなり、安定して内容物を放出することができる。
【００２８】
本実施例では、手で把持する右側の短辺部７は、円形状でも、楕円形状でも、平坦でもかまわない。
【産業上の利用可能性】
【００２９】
本発明は、容器の胴部を把持する部分の横断面が略長方形に形成され、該長方形は、手で把持する際に、第一指および第二指のいずれかの指先が当接する部分の手前に最も膨らむ最膨張部が形成され、容器の胴部を手の小さい女性が把持した場合でも、指先の腹が最膨張部を乗り越えて当接することで、確実に把持できて持ちやすく、また、手が大きい人でも使用することができる容器として、広く使用することができる。
【符号の説明】
【００３０】
Ａ              容器本体
Ｂ              キャップ
Ｈ              手
ａ、ｂ          長さ
α              第二指有効把持長
β              第一指有効把持長
Ｆ１、Ｆ２      把持ベクトル
Ｆ３            合成ベクトル
ｆ１            第一指
ｆ２            第二指
１              口筒部
２              肩部
３              胴部
４              底部
６              長辺部
６ａ、２０ａ    最膨張部
６ｃ            長辺部の端部
７              短辺部
７ｃ            短辺部の端部
８              角部
２０            辺部
【図１】
0006833261.tif 000003
【図２】
0006833261.tif 000004
【図３】
0006833261.tif 000005
【図４】
0006833261.tif 000006
【図５】
0006833261.tif 000007